(57)【要約】【課題】クイズという手段を用いて、利用者に広告に興味をもたせて、より高い広告効果を得ることができる広告配信方法を提供する。【解決手段】  通信ネットワークを介して、利用者側通信端末と、クイズ情報及び広告情報を格納するウェブサーバとが、相互に接続された環境下において、利用者に広告を配信するシステムであって、前記ウェブサーバは、クイズ問題を格納する第１データベースと、クイズ正解を格納するする第２データベースと、クイズ解説を格納する第３データベースと、前記クイズ情報に関連する商品の広告情報を格納する第４データベースとを備えていることを特徴とする。【選択図】  図１
2007094149.tif 000002
【特許請求の範囲】
【請求項１】
通信ネットワークを介して、利用者側通信端末と、クイズ情報及び広告情報を格納するウェブサーバとが、相互に接続された環境下において、利用者に広告を配信するシステムであって、前記ウェブサーバは、クイズ問題を格納する第１データベースと、クイズ正解を格納するする第２データベースと、クイズ解説を格納する第３データベースと、前記クイズ情報に関連する商品の広告情報を格納する第４データベースとを備えていることを特徴とする広告配信システム
【請求項２】
通信ネットワークを介して、利用者側通信端末と、クイズ情報を格納する第１のウェブサーバと、広告情報を格納する第２のウェブサーバとが、それぞれ相互に接続された環境下において、利用者に広告を配信するシステムであって、前記第１のウェブサーバは、クイズ問題を格納する第１データベースと、クイズ正解を格納するする第２データベースと、クイズ解説を格納する第３データベースとを備え、前記第２のウェブサーバは、前記クイズ情報に関連する商品の広告情報を格納するデータベースを備えていることを特徴とする広告配信システム
【請求項３】
請求項１記載の広告配信システムにおいて、前記ウェブサーバは、前記利用者側通信端末からアクセスがあった場合に、前記利用者側通信端末にクイズ問題を送信し、前記利用者側端末からクイズの解答が送信されると、前記利用者側通信端末にクイズ正解及びクイズ解説を送信し、前記クイズ情報に関連する商品の広告を配信するようにしたことを特徴とする広告配信システム
【請求項４】
請求項２記載の広告配信システムにおいて、前記第１のウェブサーバは、前記利用者側通信端末からアクセスがあった場合に、前記利用者側通信端末にクイズ問題を送信し、前記利用者側端末からクイズの解答が送信されると、前記利用者側通信端末にクイズ正解及びクイズ解説を送信し、前記利用者が前記利用者側通信端末に表示されたクイズ正解及びクイズ解説画面内に設定された「商品一覧」ボタンをクリックすることにより、
前記第２のウェブサーバは、前記利用者側通信端末に前記クイズ情報に関連する商品の商品一覧情報を送信し、前記利用者側端末から前記利用者側通信端末に表示された商品一覧画面より選択された商品名が送信されると、選択された商品の広告を配信するようにしたことを特徴とする広告配信システム
【請求項５】
通信ネットワークを介して、利用者側通信端末と、クイズ情報及び広告情報を格納するウェブサーバとが、相互に接続された環境下において、利用者に広告を配信する方法であって、前記ウェブサーバ内のデータベースに、クイズ問題を格納する第１ステップと、クイズ正解を格納する第２ステップと、クイズ解説を格納する第３ステップと、前記クイズ情報に関連する商品の広告情報を格納する第４ステップとを含んでいることを特徴とする広告配信方法
【請求項６】
通信ネットワークを介して、利用者側通信端末と、クイズ情報を格納する第１のウェブサーバと、広告情報を格納する第２のウェブサーバとが、それぞれ相互に接続された環境下において、利用者に広告を配信する方法であって、前記第１のウェブサーバ内のデータベースに、クイズ問題を格納する第１ステップと、クイズ正解を格納する第２ステップと、クイズ解説を格納する第３ステップと、前記第２のウェブサーバ内のデータベースに、
前記クイズ情報に関連する商品の広告情報を格納する第４ステップとを含んでいることを特徴とする広告配信方法
【請求項７】
請求項５に記載の広告配信方法において、前記ウェブサーバは、前記利用者側通信端末からアクセスがあった場合に、前記利用者側通信端末にクイズ問題を送信し、前記利用者側端末からクイズの解答が送信されると、前記利用者側通信端末にクイズ正解及びクイズ解説を送信し、前記クイズ情報に関連する商品の広告を配信するようにしたことを特徴とする広告配信方法
【請求項８】
請求項６に記載の広告配信方法において、
前記第１のウェブサーバは、前記利用者側通信端末からアクセスがあった場合に、前記利用者側通信端末にクイズ問題を送信し、前記利用者側端末からクイズの解答が送信されると、前記利用者側通信端末にクイズ正解及びクイズ解説を送信し、前記利用者が前記利用者側通信端末に表示されたクイズ正解及びクイズ解説画面内に設定された「商品一覧」ボタンをクリックすることにより、前記第２のウェブサーバは、前記利用者側通信端末に前記クイズ情報に関連する商品の商品一覧情報を送信し、前記利用者側端末から前記利用者側通信端末に表示された商品一覧画面より選択された商品名が送信されると、選択された商品の広告を配信するようにしたことを特徴とする広告配信方法
【請求項９】
請求項５〜８に記載の方法をコンピュータに実行させるための広告配信プログラム
【請求項１０】
請求項９に記載の広告配信プログラムを記憶したコンピュータ読み取り可能な記憶媒体
【発明の詳細な説明】
【技術分野】
【０００１】
本発明は、通信ネットワークを介して、ウェブサーバから利用者側通信端末に広告を配信する広告配信システムに関する。
【背景技術】
【０００２】
現在、インターネット等の通信ネットワークを利用した広告の大半は、ホームページ上に掲載するバナー広告であるが、その広告効果を得るためには、利用者にバナー広告をクリックさせなければならず、いかにして利用者に広告に興味をもたせて、クリックさせるかという点に苦心していた。
【０００３】
また、メールマガジン等によるメール内にリンクを設定し、クリックすることにより、広告内容が掲載されているホームページにリンクされるという広告方法もあるが、前記バナー広告と同様に、いかにして利用者に広告に興味をもたせて、クリックさせるかという点が問題である。
【０００４】
さらに、メールマガジン等のメール内に広告内容を掲載する方法もあるが、定期的に一方的に発信するだけであるため、利用者は煩わしいと感じることも多く、その効果は疑問であった。
【特許文献１】特開２００５−１８２８４０号公報
【発明の開示】
【発明が解決しようとする課題】
【０００５】
そこで、本発明は、利用者にいかに広告に興味をもたせるかという点に着目し、一方的に広告を配信するのではなく、利用者が広告に興味をもつとともに、利用者がその広告の商品についての正しい理解をも得られることを可能とすることを目的とする。
【課題を解決するための手段】
【０００６】
請求項１記載の広告配信システムは、通信ネットワークを介して、利用者側通信端末と、クイズ情報及び広告情報を格納するウェブサーバとが、相互に接続された環境下において、利用者に広告を配信するシステムであって、前記ウェブサーバは、クイズ問題を格納する第１データベースと、クイズ正解を格納する第２データベースと、クイズ解説を格納する第３データベースと、前記クイズ情報に関連する商品の広告情報を格納する第４データベースとを備えていることを特徴とする。
【０００７】
請求項２記載の広告配信システムは、通信ネットワークを介して、利用者側通信端末と、クイズ情報を格納する第１のウェブサーバと、広告情報を格納する第２のウェブサーバとが、それぞれ相互に接続された環境下において、利用者に広告を配信するシステムであって、前記第１のウェブサーバは、クイズ問題を格納する第１データベースと、クイズ正解を格納する第２データベースと、クイズ解説を格納する第３データベースとを備え、前記第２のウェブサーバは、前記クイズ情報に関連する商品の広告情報を格納するデータベースを備えていることを特徴とする。
【０００８】
請求項３記載の広告配信システムは、請求項１に記載の広告配信システムにおいて、前記ウェブサーバは、前記利用者側通信端末からアクセスがあった場合に、前記利用者側通信端末にクイズ問題を送信し、前記利用者側端末からクイズの解答が送信されると、前記利用者側通信端末にクイズ正解及びクイズ解説を送信し、前記クイズ情報に関連する商品の広告を配信するようにしたことを特徴とする。
【０００９】
請求項４記載の広告配信システムは、請求項２に記載の広告配信システムにおいて、前記第１のウェブサーバは、前記利用者側通信端末からアクセスがあった場合に、前記利用者側通信端末にクイズ問題を送信し、前記利用者側端末からクイズの解答が送信されると、前記利用者側通信端末にクイズ正解及びクイズ解説を送信し、前記利用者が前記利用者側通信端末に表示されたクイズ正解及びクイズ解説画面内に設定された「商品一覧」ボタンをクリックすることにより、前記第２のウェブサーバは、前記利用者側通信端末に前記クイズ情報に関連する商品の商品一覧情報を送信し、前記利用者側端末から前記利用者側通信端末に表示された商品一覧画面より選択された商品名が送信されると、選択された商品の広告を配信するようにしたことを特徴とする。
【００１０】
請求項５記載の広告配信方法は、通信ネットワークを介して、利用者側通信端末と、クイズ情報及び広告情報を格納するウェブサーバとが、相互に接続された環境下において、利用者に広告を配信する方法であって、前記ウェブサーバ内のデータベースに、クイズ問題を格納する第１ステップと、クイズ正解を格納する第２ステップと、クイズ解説を格納する第３ステップと、前記クイズ情報に関連する商品の広告情報を格納する第４ステップとを含んでいることを特徴とする。
【００１１】
請求項６記載の広告配信方法は、通信ネットワークを介して、利用者側通信端末と、クイズ情報を格納する第１のウェブサーバと、広告情報を格納する第２のウェブサーバとが、それぞれ相互に接続された環境下において、利用者に広告を配信する方法であって、前記第１のウェブサーバ内のデータベースに、クイズ問題を格納する第１ステップと、クイズ正解を格納する第２ステップと、クイズ解説を格納する第３ステップと、前記第２のウェブサーバ内のデータベースに、前記クイズ情報に関連する商品の広告情報を格納する第４ステップとを含んでいることを特徴とする。
【００１２】
請求項７記載の広告配信方法は、請求項５に記載の広告配信方法において、前記ウェブサーバは、前記利用者側通信端末からアクセスがあった場合に、前記利用者側通信端末にクイズ問題を送信し、前記利用者側端末からクイズの解答が送信されると、前記利用者側通信端末にクイズ正解及びクイズ解説を送信し、前記クイズ情報に関連する商品の広告を配信するようにしたことを特徴とする。
【００１３】
請求項８記載の広告配信方法は、請求項６に記載の広告配信方法において、前記第１のウェブサーバは、前記利用者側通信端末からアクセスがあった場合に、前記利用者側通信端末にクイズ問題を送信し、前記利用者側端末からクイズの解答が送信されると、前記利用者側通信端末にクイズ正解及びクイズ解説を送信し、前記利用者が前記利用者側通信端末に表示されたクイズ正解及びクイズ解説画面内に設定された「商品一覧」ボタンをクリックすることにより、
前記第２のウェブサーバは、前記利用者側通信端末に前記クイズ情報に関連する商品の商品一覧情報を送信し、前記利用者側端末から前記利用者側通信端末に表示された商品一覧画面より選択された商品名が送信されると、選択された商品の広告を配信するようにしたことを特徴とする。
【００１４】
請求項９記載の広告配信プログラムは、請求項５〜８に記載の方法をコンピュータに実行させるためのプログラムであり、請求項１０記載の発明は、前記記載の広告配信プログラムを記憶したコンピュータ読み取り可能な記憶媒体である。
【発明の効果】
【００１５】
本発明によれば、クイズという手段を用いることにより、利用者の関心をひき、広告に興味をもたせるという方法によって、効果的な広告を提供することが可能になるとともに、クイズの解説を通じて、利用者は商品についての正確な知識が得られ、商品選択の際の判断の参考とすることができる等の種々の優れた効果を得ることができる。
【発明を実施するための最良の形態】
【００１６】
以下、図面を参照しつつ、本発明の実施の形態について説明する。なお、本実施の形態については、通信ネットワークとしてインターネットを利用し、利用者側通信端末として携帯電話端末を利用した場合について説明する。
【００１７】
なお、本実施の形態の説明としては、通信ネットワークとしてインターネットを利用しているが、これは例示であって、イントラネット等の他の通信ネットワーク環境下においても実施可能である。
【００１８】
また、同様に、利用者側通信端末として携帯電話端末を利用しているが、通信ネットワークに接続して情報のやりとりが可能であるものならば、コンピュータ端末他のどのような端末であってもよい。
【００１９】
本発明の実施の形態に係る広告配信システムの構成について説明をする。図１は、概要構成を示す機能ブロック図である。
【００２０】
本発明の実施の形態に係る広告配信システムは、クイズ情報送信装置及び広告情報配信装置となるウェブサーバ１０と、携帯電話端末５から構成される利用者側通信端末２とが、インターネット１を介して、相互に接続された環境下において、利用者にクイズ情報を送信し、広告情報を配信することができるように構成されている。
【００２１】
ウェブサーバ１０は、経路制御装置、電話回線、ＬＡＮ（ローカル・エリア・ネットワーク）等を経由してインターネット１に接続されている。
【００２２】
制御手段１１は、ＣＰＵ等から構成され、各部の制御や、データの転送、種々の演算、データの一時的な格納等を行う。入力制御手段１２は、インターネット１を介して接続された携帯電話端末５から入力されるデータを制御する。出力制御手段１３は、携帯電話端末５に出力されるデータを制御する。符号１４〜１７は、それぞれ以下のファイルが格納されているデータベースとなっている。
【００２３】
まず、データベース１４には、クイズ問題のデータが格納されており、そのクイズ内容は、データベース１７に格納されている広告情報データに関連するものとなっており、直接的に関連すると間接的に関連するとを問わない。例えば、広告情報データの商品がサプリメントである場合には、その商品の主要成分に関連するクイズ問題で、その主要成分の効能等を問うことが考えられる。
【００２４】
データベース１５には、データベース１４に格納されたクイズ問題についてのクイズ正解のデータが格納されている。
【００２５】
データベース１６には、データベース１５に格納されたクイズ正解の語句について、その語句に関するクイズ解説のデータが格納されている。例えば、クイズの正解が「イソフラボン」であれば、「イソフラボンは、更年期障害を軽くし、美肌効果も期待できます。」というクイズ解説である。
【００２６】
データベース１７には、データベース１４、データベース１５及びデータベース１６に格納されたクイズ情報に関連する商品の広告情報のデータが格納されている。例えば、クイズ正解が「イソフラボン」であり、クイズ解説が「イソフラボンは、更年期障害を軽くし、美肌効果も期待できます。」というものであれば、イソフラボンを主要成分とするサプリメント商品の広告情報である。
【００２７】
プログラム１８は、ウェブサーバ１０を制御するメインプログラムが記憶されており、制御手段１１において用いられる。例えば、データベース１４〜１７に格納されている情報から必要な情報を得るための検索用プログラム、図５に示す画面を表示させるプログラム等から構成される。
【００２８】
携帯電話端末５は、インターネット１を介して、ウェブサーバ１０と接続され、相互に情報の送受信が可能となっている。
【００２９】
次に、図３、図５及び図６を参照しつつ、広告を配信する手順について説明する。ここで、図３は本実施例の広告配信方法を示すフローチャート、図５は携帯電話端末５に表示されるクイズ問題表示画面、図６は携帯電話端末５に表示されるクイズ正解、クイズ解説及び広告情報表示画面である。
【００３０】
携帯電話端末５から、インターネット１を介して、ウェブサーバ１０にアクセスすると、ウェブサーバ１０からクイズ問題が携帯電話端末５に送信され、携帯電話端末５にクイズ問題４１と解答の選択肢４２が表示される（ステップ１０１）。
【００３１】
ここで、本実施の形態では、クイズ問題４１とともに、解答の複数の選択肢４２が表示され、その表示の中から解答を選択するようになっているが、解答の選択肢が表示されず、解答の入力画面が表示され、任意の解答を入力する方法であってもよい。
【００３２】
利用者は、解答の選択肢４２の中から正しいと思われるものを選択し、解答ボタン４３をクリックすることにより、解答がウェブサーバ１０に送信されると（ステップ１０２）、ウェブサーバ１０から携帯電話端末５にクイズ正解が送信され、携帯電話端末５に正解５１が表示され（ステップ１０３）、ウェブサーバ１０から携帯電話端末５にクイズの解説５２が送信され、携帯電話端末５にクイズの正解の語句に対する解説５２が表示され（ステップ１０４）、ウェブサーバ１０から携帯電話端末５に前記クイズ情報に関連する商品の広告が配信され、携帯電話端末５に広告情報５３が表示される（ステップ１０５）。
【００３３】
なお、上記ステップ１０５においては、クイズ正解５１及びクイズ解説５２とともに広告情報５３が表示されるが、図４の広告配信方法フローチャート及び図７の携帯電話端末５に表示されるクイズ正解及びクイズ解説表示画面に示すように、上記ステップ１０４のあとに、携帯電話端末５に表示された商品一覧ボタン５４をクリックすることにより（ステップ２０５）、プログラム１８に従った制御手段１１により、データベース１７に格納されている広告情報データの中から前記クイズ情報に関連する商品を抽出し、ウェブサーバ１０から携帯電話端末５に商品一覧情報が送信され（ステップ２０６）、携帯電話端末５に図８に示す商品一覧表示画面が表示され、選択ボタン６１をクリックすることにより、商品選択ウインドウ６２が表示され、表示内の任意の商品名をクリックすることにより、ウェブサーバ１０に選択商品情報が送信され（ステップ２０７）、ウェブサーバ１０から携帯電話端末５に選択された商品の広告情報が配信され、携帯電話端末５に図９に示す広告表示画面が表示される（ステップ２０８）ようにすることもできる。
【００３４】
上記実施例は、１のウェブサーバから構成されている場合であるが、クイズ情報を格納する第１のウェブサーバと広告情報を格納する第２のウェブサーバかなるシステムとすることもできる。
【００３５】
この実施の形態に係る広告配信システムの構成について説明をする。図２は、概要構成を示す機能ブロック図である。
【００３６】
本発明の実施の形態に係る広告配信システムは、クイズ送信装置となる第１のウェブサーバ２０と、広告配信装置となる第２のウェブサーバ３０と、携帯電話端末５から構成される利用者側通信端末２とが、インターネット１を介して、相互に接続された環境下において、利用者にクイズ情報及び広告情報を配信することができるように構成されている。
【００３７】
なお、他の通信ネットワーク、他の通信端末においても実施可能であるのは、上記実施例と同様である。
【００３８】
上記実施例と同様に、第１のウェブサーバ２０及び第２のウェブサーバ３０は、経路制御装置、電話回線、ＬＡＮ（ローカル・エリア・ネットワーク）等を経由してインターネット１に接続されている。
【００３９】
制御手段２１、制御手段３１、入力制御手段２２，入力制御手段３２，出力制御手段３３及び出力制御手段４３についても、上記実施例と同様である。
【００４０】
第１のウェブサーバ２０内の、データベース２４にクイズ問題のデータ、データベース２５にデータベース２４に格納されたクイズ問題についての正解のデータ、そしてデータベース２６にデータベース２５に格納されたクイズ正解の語句についての解説のデータが格納されている点で上記実施例と同様であるが、前記クイズ情報に関連する商品の広告情報を第２のウェブサーバ３０内のデータベース３７に格納する点が上記実施例と異なる。
【００４１】
プログラム２８及びプログラム３８は、それぞれのウェブサーバを制御するメインプログラムが記憶されている。
【００４２】
携帯電話端末５についても、上記実施例と同様である。
【００４３】
次に、図４、図５及び図７を参照しつつ、広告を配信する手順について説明する。ここで、図４は本実施例の広告配信方法を示すフローチャート、図５は携帯電話端末５に表示されるクイズ問題表示画面、図７は携帯電話端末５に表示されるクイズ正解及びクイズ解説表示画面である。
【００４４】
ステップ１０４までの手順は上記実施例と同様であり、第１のウェブサーバ２０にて制御される。
【００４５】
解答の選択肢４２が表示されず、解答の入力画面が表示され、任意の解答を入力する方法であってもよい点も、上記実施例と同様である。
【００４６】
図７の携帯電話端末５に表示されるクイズ正解及びクイズ解説表示画面に示すように、上記ステップ１０４のあとに、携帯電話端末５に表示された商品一覧ボタン５４をクリックすることにより（ステップ２０５）、第１のウェブサーバ２０に商品一覧リクエスト情報が送信され、プログラム２８に従った制御手段２１により、第１のウェブサーバ２０から前記クイズ情報及び携帯電話端末５の情報が第２のウェブサーバ３０に送信される。
【００４７】
プログラム３８に従った制御手段３１により、データベース３７に格納されている広告情報データの中から前記クイズ情報に関連する商品を抽出し、第２のウェブサーバ３０から携帯電話端末５に商品一覧情報が送信され（ステップ２０６）、携帯電話端末５に図８に示す商品一覧表示画面が表示され、選択ボタン６１をクリックすることにより、商品選択ウインドウ６２が表示され、前記利用者が表示内の任意の商品名をクリックすることにより、第２のウェブサーバ３０に選択商品情報が送信され（ステップ２０７）、第２のウェブサーバ３０から携帯電話端末５に選択された商品の広告情報が配信され、携帯電話端末５に図９に示す広告情報表示画面のように、商品名６３、商品画像６４、商品価格６５、商品説明６６が表示される（ステップ２０８）。
【図面の簡単な説明】
【００４８】
【図１】本発明の実施の形態に係る広告配信システムの概要構成を示す機能ブロック図である。
【図２】本発明の実施の形態に係る広告配信システムの概要構成を示す機能ブロック図である。
【図３】本発明の実施の形態に係る広告配信方法を示すフローチャートである。
【図４】本発明の実施の形態に係る広告配信方法を示すフローチャートである。
【図５】本発明の実施の形態に係る携帯電話端末に表示されるクイズ問題表示画面である。
【図６】本発明の実施の形態に係る携帯電話端末に表示されるクイズ正解、クイズ解説及び広告情報表示画面である。
【図７】本発明の実施の形態に係る携帯電話端末に表示されるクイズ正解及びクイズ解説表示画面である。
【図８】本発明の実施の形態に係る携帯電話端末に表示される商品一覧表示画面である。
【図９】本発明の実施の形態に係る携帯電話端末に表示される広告情報表示画面である。
【符号の説明】
【００４９】
１              インターネット
２              利用者側通信端末
３              コンピュータ端末
４              コンピュータ端末
５              携帯電話端末
１０            ウェブサーバ
１１            制御手段
１２            入力制御手段
１３            出力制御手段
１４            クイズ問題データベース
１５            クイズ正解データベース
１６            クイズ解説データベース
１７            広告情報データベース
１８            プログラム
２０            第１のウェブサーバ
２１            制御手段
２２            入力制御手段
２３            出力制御手段
２４            クイズ問題データベース
２５            クイズ正解データベース
２６            クイズ解説データベース
２８            プログラム
３０            第２のウェブサーバ
３１            制御手段
３２            入力制御手段
３３            出力制御手段
３７            広告情報データベース
３８            プログラム
４１            クイズ問題
４２            クイズ解答選択肢
４３            解答ボタン
５１            クイズ正解
５２            クイズ解説
５３            広告情報
５４            商品一覧ボタン
６１            選択ボタン
６２            商品選択ウインドウ
６３            商品名
６４            商品画像
６５            商品価格
６６            商品説明
【図１】
2007094149.tif 000003
【図２】
2007094149.tif 000004
【図３】
2007094149.tif 000005
【図４】
2007094149.tif 000006
【図５】
2007094149.tif 000007
【図６】
2007094149.tif 000008
【図７】
2007094149.tif 000009
【図８】
2007094149.tif 000010
【図９】
2007094149.tif 000011